(57)【要約】      （修正有）【課題】犬（四肢動物）が嫌がることなく四肢動物の毛の乾燥作業をスムースに行うことができる四肢動物包被袋を提供する。【解決手段】四肢動物包被袋１０は、通気性を有する生地から作られ、その前方上部に形成されて犬５９（四肢動物）の首部を挿通する挿通開口と、その後方に形成されて所定の温風送風手段から送風された温風をその内部に取り入れるパイプ（温風取入口２４）とを有する。四肢動物包被袋１０では、包被袋１０が犬５９（四肢動物）をその内部に収容しつつ犬５９の頭部６０を除く胴部６４及び脚部６５を包被し、パイプ（温風取入口２４）から取り入れられた温風が包被袋１０の内部から包被袋１０を通気しつつ洗浄後の犬５９の濡れた毛を乾燥させる。【選択図】図７
2020141630.tif 000002
【特許請求の範囲】
【請求項１】
洗浄した後の四肢動物の濡れた毛を乾燥させる四肢動物包被袋において、
前記四肢動物包被袋が、通気性を有する生地から作られ、その前方上部に形成されて前記四肢動物の首部を挿通する挿通開口と、その後方に形成されて所定の温風送風手段から送風された温風をその内部に取り入れる温風取入口とを有し、
前記四肢動物包被袋では、該包被袋が前記四肢動物を収容しつつ該四肢動物の頭部を除く胴部及び脚部を包被し、前記温風取入口から取り入れられた温風が前記包被袋の内部から該包被袋を通気しつつ洗浄後の前記四肢動物の濡れた毛を乾燥させることを特徴とする四肢動物包被袋。
【請求項２】
前記四肢動物包被袋が、その前面を形成して上下方向へ延びる前面生地と、その後面を形成して上下方向へ延びる後面生地と、その両側面を形成して前記前後面生地の間で前後方向へ延びる両側面生地と、その頂面を形成して前記前後面生地の間で前後方向へ延びる頂面生地と、その底面を形成して前記前後面生地の間で前後方向へ延びる底面生地とから作られて前後方向へ長い六面直方体に成形され、上下方向へ延びる第１メカニカルファスナーが、前記前面生地を横方向へ二分する該前面生地の中央に取り付けられ、前後方向へ延びるとともに上下方向へ延びる第２メカニカルファスナーが、前記頂面生地を横方向へ二分する該頂面生地の中央と前記後面生地を横方向へ二分する該後面生地の中央とに取り付けられている請求項１に記載の四肢動物包被袋。
【請求項３】
前記挿通開口が、前記前面生地の中央上方と前記頂面生地の中央前方とに形成され、前記温風取入口が、前記後面生地に形成され、前記四肢動物包被袋では、前記温風送風手段から送風された温風の前記包被袋の内部への取入量が該包被袋の内部から外部への温風の排気量よりも多く、前記温風送風手段から送風された温風を前記温風取入口から前記包被袋の内部に取り入れたときに、前記包被袋の内部の温風が該包被袋の前記前後面生地と前記両側面生地と前記頂底面生地とを通気してその外部に排気されるとともに、前記温風が前記包被袋の内部に籠もって該包被袋の内部が陽圧になり、該包被袋の六面直方体の形態が維持される請求項２に記載の四肢動物包被袋。
【請求項４】
前記底面生地には、前記両側面生地の間に位置して横方向へ延びるとともに前記頂面生地に向かって上下方向へ凸となる少なくとも１つの仕切部材が着脱可能に設置される請求項２又は請求項３に記載の四肢動物包被袋。
【請求項５】
前記四肢動物包被袋が、前記両側面生地と前記頂面生地とのうちの少なくとも該両側面生地に取り付けられて前後方向へ延びる長さ寸法第１調整手段を含み、前記四肢動物包被袋では、前記長さ寸法第１調整手段によって該四肢動物包被袋の前後方向の長さ寸法を調節可能である請求項２ないし請求項４いずれかに記載の四肢動物包被袋。
【請求項６】
前記四肢動物包被袋が、前記前面生地と前記後面生地とに取り付けられて上下方向へ延びる長さ寸法第２調整手段を含み、前記四肢動物包被袋では、前記長さ寸法第２調整手段によって該四肢動物包被袋の上下方向の長さ寸法を調節可能である請求項２ないし請求項５いずれかに記載の四肢動物包被袋。
【請求項７】
前記生地が、通気性を有する織物又は通気性を有する編み物である請求項１ないし請求項６いずれかに記載の四肢動物包被袋。
【請求項８】
前記四肢動物が、ペットとして飼育されている犬又は猫である請求項１ないし請求項７いずれかに記載の四肢動物包被袋。
【発明の詳細な説明】
【技術分野】
【０００１】
本発明は、洗浄した後の四肢動物の濡れた毛を乾燥させる四肢動物包被袋に関する。
【背景技術】
【０００２】
ペットを包む袋と、その袋に連結されてエアーを供給するドライヤーと、袋およびドライヤーを固定するスタンドとから形成され、ペットをシャンプーした後のドライヤー乾燥およびブラッシングの際に使用するペット用乾燥装置が開示されている（特許文献１参照）。ペットを包む袋は、耐熱性を有する透明な低密度ポリエチレンから作られている。ペットを包む袋には、袋の一辺にドライヤーを取り付けるための後方開口部が形成され、その反対側の一辺にペットを入れるための前方開口部が形成されている。ペット用乾燥装置では、ドライヤーから送風された温風が後方開口部から袋の中に取り入れられ、前方開口部から吹き出すことで袋の内部のペットの毛を乾燥させる。
【先行技術文献】
【特許文献】
【０００３】
【特許文献１】特開２０１４−２０９８９５号公報
【発明の概要】
【発明が解決しようとする課題】
【０００４】
前記特許文献１に開示のペット用乾燥装置は、ドライヤーから送風された温風が袋の前方開口部から吹き出すから、温風がペットの頭部に向かって吹き出し、温風がペットの目や鼻、口に当たり、ペットが嫌がって袋の内部においてペットが暴れ、ペットの乾燥作業をスムースに行うことができない場合がある。又、ペット用乾燥装置は、ペットのサイズ（大きさ）にあわせて袋の前後方向の長さ寸法を調節することができず、サイズ（大きさ）の異なるペットの乾燥には不向きである。
【０００５】
本発明の目的は、送風された温風が四肢動物の目や鼻、口に向かって吹き出されることはなく、四肢動物が嫌がることなく四肢動物の毛の乾燥作業をスムースに行うことができる四肢動物包被袋を提供することにある。本発明の他の目的は、手間を要せず短時間に四肢動物の毛の乾燥させることができる四肢動物包被袋を提供することにある。本発明の他の目的は、四肢動物のサイズ（大きさ）にあわせて前後方向の長さ寸法を調節することができ、サイズ（大きさ）の異なる四肢動物の濡れた毛の乾燥に最適に使用することができる四肢動物包被袋を提供することにある。
【課題を解決するための手段】
【０００６】
前記課題を解決するための本発明の前提は、洗浄した後の四肢動物の濡れた毛を乾燥させる四肢動物包被袋である。
【０００７】
前記前提における本発明の特徴は、四肢動物包被袋が、通気性を有する生地から作られ、その前方上部に形成されて四肢動物の首部を挿通する挿通開口と、その後方に形成されて所定の温風送風手段から送風された温風をその内部に取り入れる温風取入口とを有し、四肢動物包被袋では、包被袋が四肢動物を収容しつつ四肢動物の頭部を除く胴部及び脚部を包被し、温風取入口から取り入れられた温風が包被袋の内部から包被袋を通気しつつ洗浄後の四肢動物の濡れた毛を乾燥させることにある。
【０００８】
本発明の一例としては、四肢動物包被袋が、その前面を形成して上下方向へ延びる前面生地と、その後面を形成して上下方向へ延びる後面生地と、その両側面を形成して前後面生地の間で前後方向へ延びる両側面生地と、その頂面を形成して前後面生地の間で前後方向へ延びる頂面生地と、その底面を形成して前後面生地の間で前後方向へ延びる底面生地とから作られて前後方向へ長い六面直方体に成形され、上下方向へ延びる第１メカニカルファスナーが、前面生地を横方向へ二分する前面生地の中央に取り付けられ、前後方向へ延びるとともに上下方向へ延びる第２メカニカルファスナーが、頂面生地を横方向へ二分する頂面生地の中央と後面生地を横方向へ二分する後面生地の中央とに取り付けられている。
【０００９】
本発明の他の一例としては、挿通開口が、前面生地の中央上方と頂面生地の中央前方とに形成され、温風取入口が、後面生地に形成され、四肢動物包被袋では、温風送風手段から送風された温風の包被袋の内部への取入量が包被袋の内部から外部への温風の排気量よりも多く、温風送風手段から送風された温風を温風取入口から包被袋の内部に取り入れたときに、包被袋の内部の温風が包被袋の前後面生地と両側面生地と頂底面生地とを通気してその外部に排気されるとともに、温風が包被袋の内部に籠もって包被袋の内部が陽圧になり、包被袋の六面直方体の形態が維持される。
【００１０】
本発明の他の一例として、底面生地には、両側面生地の間に位置して横方向へ延びるとともに頂面生地に向かって上下方向へ凸となる少なくとも１つの仕切部材が着脱可能に設置される。
【００１１】
本発明の他の一例としては、四肢動物包被袋が、両側面生地と頂面生地とのうちの少なくとも両側面生地に取り付けられて前後方向へ延びる長さ寸法第１調整手段を含み、四肢動物包被袋では、長さ寸法第１調整手段によって四肢動物包被袋の前後方向の長さ寸法を調節可能である。
【００１２】
本発明の他の一例としては、四肢動物包被袋が、前面生地と後面生地とに取り付けられて上下方向へ延びる長さ寸法第２調整手段を含み、四肢動物包被袋では、長さ寸法第２調整手段によって四肢動物包被袋の上下方向の長さ寸法を調節可能である。
【００１３】
本発明の他の一例としては、生地が、通気性を有する織物又は通気性を有する編み物である。
【００１４】
本発明の他の一例としては、四肢動物が、ペットとして飼育されている犬又は猫である。
【発明の効果】
【００１５】
本発明に係る四肢動物包被袋によれば、包被袋が四肢動物を収容しつつ四肢動物の頭部を除く胴部及び脚部を包被し、温風取入口から取り入れられた温風が包被袋の内部から通気性の包被袋を通気しつつ洗浄後の四肢動物の濡れた毛を乾燥させるから、温風送風手段から送風された温風が四肢動物の目や鼻、口に向かって吹き出されることはなく、包被袋の内部における四肢動物の暴れを防ぐことができ、四肢動物が嫌がることなく四肢動物の毛の乾燥作業をスムースに行うことができる。四肢動物包被袋は、その全域から温風が排気されつつ包被袋の内部に温風が籠もるから、四肢動物の胴部及び脚部全体に温風が接触し、四肢動物の胴部及び脚部全体を同時に乾燥させることができ、洗浄後の四肢動物の濡れた毛を手間を要せず短時間に乾燥させることができる。
【００１６】
四肢動物包被袋が上下方向へ延びる前後面生地と前後面生地の間で前後方向へ延びる両側面生地と前後面生地の間で前後方向へ延びる頂底面生地とから作られて前後方向へ長い六面直方体に成形され、上下方向へ延びる第１メカニカルファスナーが前面生地を横方向へ二分する前面生地の中央に取り付けられ、前後方向へ延びるとともに上下方向へ延びる第２メカニカルファスナーが頂面生地を横方向へ二分する頂面生地の中央と後面生地を横方向へ二分する後面生地の中央とに取り付けられている四肢動物包被袋は、それら生地によって画成された前後方向へ長い六面直方体の包被袋によって四肢動物の頭部を除く胴部及び脚部を包被することができ、包被袋の内部に取り入れられた温風によって洗浄後の四肢動物の濡れた毛を手間を要せず短時間に乾燥させることができる。四肢動物包被袋は、第１メカニカルファスナーを開けることで前面生地を横方向へ二分して前面生地を開放し、第２メカニカルファスナーを開けることで頂面生地と後面生地とを横方向へ二分して頂面生地と後面生地とを開放した後、四肢動物を包被袋の内部に入れ、第１及び第２メカニカルファスナーを閉めることで開放された前面生地と頂面生地と後面生地とを閉鎖し、包被袋の内部に四肢動物の胴部及び脚部を閉じ込めることができ、その状態で包被袋の内部に温風を取り入れることで洗浄後の四肢動物の濡れた毛を確実に乾燥させることができる。
【００１７】
挿通開口が前面生地の中央上方と頂面生地の中央前方とに形成され、温風取入口が後面生地に形成され、温風送風手段から送風された温風の包被袋の内部への取入量が包被袋の内部から外部への温風の排気量よりも多く、温風送風手段から送風された温風を温風取入口から包被袋の内部に取り入れたときに、包被袋の内部の温風が包被袋の前後面生地と両側面生地と頂底面生地とを通気してその外部に排気されるとともに、温風が包被袋の内部に籠もって包被袋の内部が陽圧になり、包被袋の六面直方体の形態が維持される四肢動物包被袋は、前面生地の中央上方と頂面生地の中央前方とに形成された挿通開口に四肢動物の首部を挿通することで、四肢動物の頭部を包被袋の外部に出すことができ、四肢動物の胴部及び脚部を包被袋の内部に収容することができるとともに、四肢動物が嫌がることなく四肢動物の毛の乾燥作業をスムースに行うことができる。四肢動物包被袋は、温風を温風取入口から包被袋の内部に取り入れたときに、包被袋の内部の温風が包被袋の前後面生地と両側面生地と頂底面生地とを通気してその外部に排気されるとともに、温風が包被袋の内部に籠もって包被袋の内部が陽圧になり、包被袋の六面直方体の形態が維持され、包被袋の内部に所定容積の乾燥空間が形成されるから、その乾燥空間に四肢動物の胴部及び脚部全体を位置させることができ、四肢動物の胴部及び脚部全体を温風に接触させることができる。四肢動物包被袋は、六面直方体の形態に維持された包被袋の乾燥空間において四肢動物の胴部及び脚部全体を同時に乾燥させることができ、洗浄後の四肢動物の濡れた毛を手間を要せず短時間に乾燥させることができる。
【００１８】
両側面生地の間に位置して横方向へ延びるとともに頂面生地に向かって上下方向へ凸となる少なくとも１つの仕切部材が底面生地に着脱可能に設置される四肢動物包被袋は、その仕切部材が仕切となり、仕切部材が四肢動物の前足が後足の側に移動することを防ぐとともに、四肢動物の後足が前足の側に移動することを防ぎ、仕切部材が包被袋の内部における四肢動物の脚部の動きを抑制するから、包被袋の内部における四肢動物の動きを抑制することができ、四肢動物の毛の乾燥作業をスムースに行うことができる。四肢動物包被袋は、仕切部材が底面生地の捩れを防ぐリブとして機能するから、四肢動物が包被袋の内部において動いたとしても、仕切部材によって底面生地が捩れることはなく、包被袋の六面直方体の形態を維持することができ、六面直方体の形態に維持された包被袋の乾燥空間において四肢動物の胴部及び脚部全体を確実に乾燥させることができる。
【００１９】
両側面生地と頂面生地とのうちの少なくとも両側面生地に取り付けられて前後方向へ延びる長さ寸法第１調整手段を含み、長さ寸法第１調整手段によって四肢動物包被袋の前後方向の長さ寸法を調節可能である四肢動物包被袋は、長さ寸法第１調整手段を利用することで、四肢動物の前後方向のサイズ（大きさ）にあわせて包被袋の前後方向の長さ寸法を調節することができ、前後方向のサイズ（大きさ）の異なる四肢動物を包被袋の内部に収容することができ、前後方向のサイズ（大きさ）の異なる四肢動物の濡れた毛の乾燥に最適に使用することができる。
【００２０】
前面生地と後面生地とに取り付けられて上下方向へ延びる長さ寸法第２調整手段を含み、長さ寸法第２調整手段によって四肢動物包被袋の上下方向の長さ寸法を調節可能である四肢動物包被袋は、長さ寸法第２調整手段を利用することで、四肢動物の上下方向のサイズ（大きさ）にあわせて包被袋の上下方向の長さ寸法を調節することができ、上下方向のサイズ（大きさ）の異なる四肢動物を包被袋の内部に収容することができ、上下方向のサイズ（大きさ）の異なる四肢動物の濡れた毛の乾燥に最適に使用することができる。
【００２１】
生地が通気性を有する織物又は通気性を有する編み物である四肢動物包被袋は、通気性を有する織物又は通気性を有する編み物から作られた包被袋の全域から温風が排気されつつ包被袋の内部に温風が籠もるから、包被袋の内部が陽圧になり、包被袋の内部に所定容積の乾燥空間が形成され、その乾燥空間において四肢動物の胴部及び脚部全体を同時に乾燥させることができ、洗浄後の四肢動物の濡れた毛を手間を要せず短時間に乾燥させることができる。
【００２２】
四肢動物がペットとして飼育されている犬又は猫である四肢動物包被袋は、包被袋の全域から温風が排気されつつ包被袋の内部に温風が籠もるから、包被袋の内部が陽圧になり、包被袋の内部に所定容積の乾燥空間が形成され、その乾燥空間において犬や猫の胴部及び脚部全体を同時に乾燥させることができ、洗浄後の犬や猫の濡れた毛を手間を要せず短時間に乾燥させることができるとともに、犬や猫が嫌がることなく犬や猫の毛の乾燥作業をスムースに行うことができる。
【図面の簡単な説明】
【００２３】
【図１】一例として示す四肢動物包被袋の斜視図。
【図２】四肢動物包被袋の側面図。
【図３】四肢動物包被袋の正面図。
【図４】四肢動物包被袋の背面図。
【図５】四肢動物包被袋の上面図。
【図６】四肢動物包被袋の底面図。
【図７】使用状態で示す四肢動物包被袋の側面図。
【発明を実施するための形態】
【００２４】
一例として示す四肢動物包被袋１０の斜視図である図１等の添付の図面を参照し、本発明に係る四肢動物包被袋の詳細を説明すると、以下のとおりである。なお、図２は、四肢動物包被袋１０の側面図であり、図３は、四肢動物包被袋１０の正面図である。図４は、四肢動物包被袋１０の背面図であり、図５は、四肢動物包被袋１０の上面図である。図６は、四肢動物包被袋１０の底面図である。図１では、上下方向を矢印Ｘ、前後方向を矢印Ｙで示し、横方向を矢印Ｚで示す。
【００２５】
四肢動物包被袋１０は、洗浄した後の四肢動物（犬５９（図７参照）又は猫）の濡れた毛（四肢動物の胴部及び脚部の毛）を乾燥させる。四肢動物は、ペットとして飼育されている犬５９又は猫あるが、四肢動物包被袋１０は、犬５９又は猫以外の全ての四肢動物に使用することができる。四肢動物包被袋１０は、前面１１及び後面１２と、両側面１３，１４と、頂面１５及び底面１６とを有し、その形状が前後方向へ長い六面直方体に成形されている。
【００２６】
四肢動物包被袋１０は、通気性、透湿性、柔軟性を有する可撓性の前面生地１７及び通気性、透湿性、柔軟性を有する可撓性の後面生地１８と、通気性、透湿性、柔軟性を有する可撓性の両側面生地１９，２０と、通気性、透湿性、柔軟性を有する可撓性の頂面生地２１及び通気性、透湿性、柔軟性を有する可撓性の底面生地２２とから作られている。四肢動物包被袋１０は、挿通開口２３及び温風取入口２４と、第１メカニカルファスナー２５及び第２メカニカルファスナー２６と、一対の長さ寸法第１調整手段２７ａ及び一対の長さ寸法第１調整手段２７ｂとを有する。それら生地１７〜２３には、通気性、透湿性、柔軟性を有する可撓性の織物又は通気性、透湿性、柔軟性を有する可撓性の編み物が使用されている。なお、織物や編み物の種類について特に制限はない。
【００２７】
前面生地１７（通気性、透湿性、柔軟性を有する可撓性の織物又は通気性、透湿性、柔軟性を有する可撓性の編み物）は、その平面形状が上下方向へ長い略矩形に成形され、上下方向へ延びる左側縁部２８及び右側縁部２９と、横方向へ延びる上端縁部３０及び下端縁部３１とを有する。前面生地１７は、包被袋１０の前面１１を形成し、頂面生地２１の底面生地２２との間に位置して上下方向へ延びている。後面生地１８（通気性及、透湿性、柔軟性を有する可撓性の織物又は通気性、透湿性、柔軟性を有する可撓性の編み物）は、その平面形状が上下方向へ長い略矩形に成形され、上下方向へ延びる左側縁部３２及び右側縁部３３と、横方向へ延びる上端縁部３４及び下端縁部３５とを有する。後面生地１８は、前面生地１７から前後方向後方へ離間して前面生地１７に対向し、包被袋１０の後面１２を形成している。後面生地１８は、頂面生地２１の底面生地２２との間に位置して上下方向へ延びている。
【００２８】
両側面生地１９，２０（通気性、透湿性、柔軟性を有する可撓性の織物又は通気性、透湿性、柔軟性を有する可撓性の編み物）のうちの一方の側面生地１９は、その平面形状が前後方向へ長い略矩形に成形され、前後方向へ延びる上側縁部３６及び下側縁部３７と、上下方向へ延びる前端縁部３８及び後端縁部３９とを有する。一方の側面生地１９は、包被袋１０の一方の側面１３を形成し、前面生地１７と後面生地１８との間に位置して前後方向へ延びている。両側面生地１９，２０のうちの他方の側面生地２０は、その平面形状が前後方向へ長い略矩形に成形され、前後方向へ延びる上側縁部４０及び下側縁部４１と、上下方向へ延びる前端縁部４２及び後端縁部４３とを有する。他方の側面生地２０は、一方の側面生地１９から横方向へ離間して一方の側面生地１９に対向し、包被袋１０の他方の側面１４を形成している。他方の側面生地２０は、前面生地１７と後面生地１８との間に位置して前後方向へ延びている。
【００２９】
頂面生地２１（通気性、透湿性、柔軟性を有する可撓性の織物又は通気性、透湿性、柔軟性を有する可撓性の編み物）は、その平面形状が前後方向へ長い略矩形に成形され、前後方向へ延びる左側縁部４４及び右側縁部４５と、横方向へ延びる前端縁部４６及び後端縁部４７とを有する。頂面生地２１は、包被袋１０の頂面１５を形成し、前面生地１７と後面生地１８との間に位置して前後方向へ延びている。底面生地２２（通気性、透湿性、柔軟性を有する可撓性の織物又は通気性、透湿性、柔軟性を有する可撓性の編み物）は、その平面形状が前後方向へ長い略矩形に成形され、前後方向へ延びる左側縁部４８及び右側縁部４９と、横方向へ延びる前端縁部５０及び後端縁部５１とを有する。底面生地２２は、頂面生地２１から上下方向下方へ離間して頂面生地２１に対向し、包被袋１０の底面１６を形成している。底面生地２２は、前面生地１７と後面生地１８との間に位置して前後方向へ延びている。底面生地２２の内面には、前端縁部５０と後端縁部５１との間で前後方向へ延びる面ファスナー（図示せず）が取り付けられている。面ファスナーは、フック面とループ面とのうちのいずれか他方を有する。
【００３０】
底面生地２２の前後方向中央には、横方向へ延びる仕切部材５２が着脱可能に設置されている。仕切部材５２は、両側面生地１９，２０の間に位置して横方向へ延びるとともに頂面生地２１に向かって上下方向上方へ山形（断面三角形）に凸となっている。仕切部材５２は、３つの仕切生地５３を縫製することによって作られている。それら仕切生地５３には、通気性、透湿性、柔軟性を有する可撓性の織物又は通気性、透湿性、柔軟性を有する可撓性の編み物が使用されている。それら仕切生地５３は、前後面生地１７，１８や両側面生地１９，２０、頂底面生地２１，２２よりも目付（嵩）が高く、前後面生地１７，１８や両側面生地１９，２０、頂底面生地２１，２２よりもその剛性が高い。
【００３１】
仕切部材５２の３つの仕切生地５３のうちの少なくとも１つの外面には、フック面とループ面とのうちのいずれか他方を有する面ファスナー（図示せず）が取り付けられている。仕切部材５２は、仕切生地５３に取り付けられた面ファスナーを底面生地２２の内面に取り付けられた面ファスナーに係合させることにより、底面生地２２の内面に着脱可能に設置される。仕切部材５２は、底面生地２２の内面に対するその取付位置を底面生地２２の前端縁部５０と後端縁部５１との間で調節することができる。
【００３２】
前面生地１７の左側縁部２８と一方の側面生地１９の前端縁部３８とが縫製され、前面生地１７と一方の側面生地１９とが連結され、前面生地１７の右側縁部２９と他方の側面生地２０の前端縁部４２とが縫製され、前面生地１７と他方の側面生地２０とが連結されている。前面生地１７の上端縁部３０と頂面生地２１の前端縁部４６とが縫製され、前面生地１７と頂面生地２１とが連結され、前面生地１７の下端縁部３１と底面生地２２の前端縁部５０とが縫製され、前面生地１７と底面生地２２とが連結されている。
【００３３】
後面生地１８の左側縁部３２と一方の側面生地１９の後端縁部３９とが縫製され、後面生地１８と一方の側面生地１９とが連結され、後面生地１８の右側縁部３３と他方の側面生地２０の後端縁部４３とが縫製され、後面生地１８と他方の側面生地２０とが連結されている。後面生地１８の上端縁部３４と頂面生地２１の後端縁部４７とが縫製され、後面生地１８と頂面生地２１とが連結され、後面生地１８の下端縁部３５と底面生地２２の後端縁部５１とが縫製され、後面生地１８と底面生地２２とが連結されている。
【００３４】
頂面生地２１の左側縁部４４と一方の側面生地１９の上側縁部３６とが縫製され、頂面生地２１と一方の側面生地１９とが連結され、頂面生地２１の右側縁部４５と他方の側面生地２０の上側縁部４０とが縫製され、頂面生地２１と他方の側面生地２０とが連結されている。底面生地２２の左側縁部４８と一方の側面生地１９の下側縁部３７とが縫製され、底面生地２２と一方の側面生地１９とが連結され、底面生地２２の右側縁部４９と他方の側面生地２０の下側縁部４１とが縫製され、底面生地２２と他方の側面生地２０とが連結されている。
【００３５】
挿通開口２３は、包被袋１０の前方上部であって前面生地１７の中央上方と頂面生地２１の中央前方とに形成されている。挿通開口２３には、四肢動物の首部が挿通される。温風取入口２４は、包被袋１０の後方であって後面生地１８に形成されている。温風取入口２４は、後面生地１８に取り付けられたパイプ５４であり、後面生地１８から前後方向後方へ延びている。温風取入口２４（パイプ５４）には、温風送風手段（図示せず）が着脱可能に連結される。温風送風手段には、ドライヤー又は温風ファンが使用される。四肢動物包被袋１０では、温風送風手段から送風された温風が温風取入口２４を通ってその内部に流入する。
【００３６】
第１メカニカルファスナー２５は、前面生地１７を横方向へ二分する前面生地１７の中央に取り付けられて上下方向へ延びているとともに、前面生地１７から底面生地２２に向かって折り返し、底面生地２２の前端縁部５０の中央に取り付けられて底面生地２２の前後方向へ延びている。第２メカニカルファスナー２６は、頂面生地２１を横方向へ二分する頂面生地２１の中央に取り付けられて前後方向へ延びているとともに、頂面生地２１から後面生地１８に向かって折り返し、後面生地１８を横方向へ二分する後面生地１８の中央に取り付けられて上下方向へ延びている。更に、後面生地１８から底面生地２２に向かって折り返し、底面生地２２の後端縁部５１の中央に取り付けられて底面生地２２の前後方向へ延びている。
【００３７】
第１及び第２メカニカルファスナー２５，２６には、スライダーとエレメントとテープとから形成された金属スライドファスナーや樹脂スライドファスナー、ビスロンスライドファスナーが使用されている。第１及び第２メカニカルファスナー２５，２６には、フック面とループ面とを有する面ファスナーを使用することもできる。
【００３８】
四肢動物包被袋１０では、スライダーをスライドさせて第１メカニカルファスナー２５を開けることで前面生地１７及び底面生地２２の前端縁部５０を横方向へ二分して前面生地１７及び底面生地２２の前端縁部５０を開放することができ、第１メカニカルファスナー２５を閉めることで開放された前面生地１７及び底面生地２２の前端縁部５０を閉鎖することができる。更に、スライダーをスライドさせて第２メカニカルファスナー２６を開けることで頂面生地２１と後面生地１８と底面生地２２の後端縁部５１とを横方向へ二分して頂面生地２１と後面生地１８と底面生地２２の後端縁部５１とを開放することができ、第２メカニカルファスナー２６を閉めることで開放された頂面生地２１と後面生地１８と底面生地２２の後端縁部５１とを閉鎖することができる。
【００３９】
長さ寸法第１調整手段２７ａは、一方の側面生地１９の中央に取り付けられて前後方向へ延びているとともに、他方の側面生地２０の中央に取り付けられて前後方向へ延びている。なお、長さ寸法第１調整手段２７ａが両側面生地１９，２０とともに頂面生地２１に取り付けられていてもよい。四肢動物包被袋１０では、長さ寸法第１調整手段２７ａによって包被袋１０の前後方向の長さ寸法を調節することができる。
【００４０】
長さ寸法第１調整手段２７ａは、バックル金具５５と前後方向へ長いベルト５６とから形成されている。バックル金具５５は、両側面生地１９，２０に固定されている。ベルト５６は、その基端部５７が両側面生地１９，２０に縫製によって連結され、その自由長尺部５８がバックル金具５５に通され、自由長尺部５８がバックル金具５５において折り返されている。ベルト５６の自由長尺部５８の一方の面には、フック面を有する面ファスナー（図示せず）が取り付けられ、ベルト５６の自由長尺部５８の一方の面には、ループ面を有する面ファスナー（図示せず）が取り付けられている。
【００４１】
ベルト５６の自由長尺部５８を前後方向前方へ引っ張り、フック面とループ面とを係合させて自由長尺部５８どうしを連結すると、両側面生地１９，２０と頂底面生地２１，２２とが前後方向前方へ縮み、両側面生地１９，２０と頂底面生地２１，２２との前後方向の長さ寸法が小さくなり、四肢動物包被袋１０の前後方向の長さ寸法を小さくすることができる。逆に、フック面とループ面との係合を解除し、ベルト５６の自由長尺部５８を緩め、その状態でフック面とループ面とを係合させて自由長尺部５８どうしを連結すると、両側面生地１９，２０と頂底面生地２１，２２とが前後方向後方へ伸長し、両側面生地１９，２０と頂底面生地２１，２２との前後方向の長さ寸法が大きくなり、四肢動物包被袋１０の前後方向の長さ寸法を大きくすることができる。
【００４２】
長さ寸法第２調整手段２７ｂは、前面生地１７の中央下方に取り付けられて上下方向へ延びているとともに、後面生地１８の中央下方に取り付けられて上下方向へ延びている。四肢動物包被袋１０では、長さ寸法第２調整手段２７ｂによって包被袋１０の上下方向の長さ寸法を調節することができる。
【００４３】
長さ寸法第２調整手段２７ｂは、バックル金具５５と上下方向へ長いベルト５６とから形成されている。バックル金具５５は、前後面生地１７，１８に固定されている。ベルト５６は、その基端部５７が前後面生地１７，１８に縫製によって連結され、その自由長尺部５８がバックル金具５５に通され、自由長尺部５８がバックル金具５５において折り返されている。ベルト５６の自由長尺部５８の一方の面には、フック面を有する面ファスナー（図示せず）が取り付けられ、ベルト５６の自由長尺部５８の一方の面には、ループ面を有する面ファスナー（図示せず）が取り付けられている。
【００４４】
ベルト５６の自由長尺部５８を上下方向上方へ引っ張り、フック面とループ面とを係合させて自由長尺部５８どうしを連結すると、前後面生地１７，１８が上下方向へ縮み、前後面生地１７，１８の上下方向の長さ寸法が小さくなり、四肢動物包被袋１０の上下方向の長さ寸法を小さくすることができる。逆に、フック面とループ面との係合を解除し、ベルト５６の自由長尺部５８を緩め、その状態でフック面とループ面とを係合させて自由長尺部５８どうしを連結すると、前後面生地１７，１８が上下方向へ伸長し、前後面生地１７，１８の上下方向の長さ寸法が大きくなり、四肢動物包被袋１０の上下方向の長さ寸法を大きくすることができる。
【００４５】
図７は、使用状態で示す四肢動物包被袋１０の側面図である。図７では、四肢動物として犬５９を例に四肢動物包被袋１０の使用手順を説明する。四肢動物包被袋１０を使用するには、最初に包被袋１０に収容する犬５９（四肢動物）のサイズ（大きさ）にあわせて包被袋１０の前後方向の長さ寸法及び包被袋１０の上下方向の長さ寸法を調節する。なお、犬５９を包被袋１０に収容した後に包被袋１０の前後方向の長さ寸法及び上下方向の長さ寸法を調節してもよい。
【００４６】
長さ寸法第１調整手段２７ａのベルト５６の自由長尺部５８のフック面とループ面との係合を解除し、ベルト５６の自由長尺部５８を前後方向前方へ引っ張り、両側面生地１９，２０と頂底面生地２１，２２とを前後方向前方へ縮め、両側面生地１９，２０と頂底面生地２１，２２との前後方向の長さ寸法を小さくし、又は、ベルト５６の自由長尺部５８を前後方向前方へ引っ張ることなく、両側面生地１９，２０と頂底面生地との前後方向の長さ寸法をそのままにした状態、又は、ベルト５６の自由長尺部５８を緩めた状態で、フック面とループ面とを係合させて自由長尺部５８どうしを連結する。
【００４７】
長さ寸法第２調整手段２７ｂのベルト５６の自由長尺部５８のフック面とループ面との係合を解除し、ベルト５６の自由長尺部５８を上下方向上方へ引っ張り、前後面生地１７，１８を上下方向へ縮め、前後面生地１７，１８の上下方向の長さ寸法を小さくし、又は、ベルト５６の自由長尺部５８を上下方向下方へ引っ張ることなく、前後面生地１７，１８の上下方向の長さ寸法をそのままにした状態、又は、ベルト５６の自由長尺部５８を緩めた状態で、フック面とループ面とを係合させて自由長尺部５８どうしを連結する。
【００４８】
包被袋１０の前後方向の長さ寸法及び上下方向の長さ寸法を調節した後、第１メカニカルファスナー２５のスライダーを上下方向下方及び前後方向後方へスライドさせて第１メカニカルファスナー２５を開け、第２メカニカルファスナー２６のスライダーを前後方向後方及び上下方向下方並びに前後方向後方へスライドさせて第２メカニカルファスナー２６を開け、前面生地１７及び底面生地２２の前端縁部５０を横方向へ二分して前面生地１７及び底面生地２２の前端縁部５０を開放するとともに、頂面生地２１と後面生地１８と底面生地２２の後端縁部５１とを横方向へ二分して頂面生地２１と後面生地１８と底面生地２２の後端縁部５１とを開放する。
【００４９】
それら生地１７，１８，２１，２２を開放した後、仕切生地５３に取り付けられた面ファスナーを底面生地２２の内面に取り付けられた面ファスナーに係合させ、仕切部材５２を底面生地２２の内面に設置する。仕切部材５２は底面生地２２の前後方向中央に設置されたものとする。次に、犬５９（四肢動物）の頭部６０が前面生地１７（前面１１）の側に位置し、犬５９の尾６１が後面生地１８（後面１２）の側に位置するように、犬５９を包被袋１１の内部に入れ、犬５９の前足６２を底面生地２２の前端縁部５０に置き、犬５９の後足６３を底面生地２２の後端縁部５１に置く。犬５９を包被袋１０の内部に入れた後、第１メカニカルファスナー２５のスライダーを前後方向前方及び上下方向上方へスライドさせて第１メカニカルファスナー２５を閉め、第２メカニカルファスナー２６のスライダーを前後方向後方及び上下方向上方並びに前後方向前方へスライドさせて第２メカニカルファスナー２６を閉め、開放された前面生地１７及び底面生地２２の前端縁部５０を閉鎖するとともに、開放された頂面生地２１と後面生地１８と底面生地２２の後端縁部５１とを閉鎖する。
【００５０】
第１及び第２メカニカルファスナー２５，２６を閉めると、図７に示すように、犬５９の胴部６４及び脚部６５（前足６２及び後足６３）が四肢動物包被袋１０の内部に位置し、犬５９の首部６６が四肢動物包被袋１０の挿通開口２３に位置するとともに、犬５９の頭部６０が四肢動物包被袋１０の外側に位置する。犬５９の前足６２が底面生地２２に設置された仕切部材５２（仕切生地５３）の前方に位置し、犬５９の後足６３が底面生地２２に設置された仕切部材５２の後方に位置する。犬５９の胴部６４及び脚部６５は、四肢動物包被袋１０の内部に閉じ込められる。四肢動物包被袋１０は、犬５９を収容しつつ犬５９の頭部６０を除く胴部６４全体及び脚部６５全体を包被する。
【００５１】
四肢動物包被袋１０は、底面生地２２に設置された仕切部材５２（仕切生地５３）が仕切となり、仕切部材５２によって犬５９（四肢動物）の前足６２が後足６３の側に移動することを防ぐことができるとともに、仕切部材５２によって犬５９の後足６３が前足６２の側に移動することを防ぐことができる。四肢動物包被袋１０は、仕切部材５２（仕切生地５３）が包被袋１０の内部における犬５９（四肢動物）の脚部６５の動きを抑制するから、包被袋１０の内部における犬５９（四肢動物）の動きを抑制することができるとともに、仕切部材５２が底面生地２２の捩れを防ぐリブとして機能し、犬５９（四肢動物）が包被袋１０の内部において動いたとしても、仕切部材５２によって底面生地２２が捩れることはなく、包被袋１０の六面直方体の形態を維持することができる。
【００５２】
四肢動物包被袋１０は、第１メカニカルファスナー２５を開けることで前面生地１７及び底面生地２２の前端縁部５０を横方向へ二分して前面生地１７（前面１１）及び底面生地２２（底面１６）の前端縁部５０を開放し、第２メカニカルファスナー２６を開けることで頂面生地２１と後面生地１８と底面生地２２の後端縁部５１とを横方向へ二分して頂面生地２１（頂面１５）と後面生地１８（後面１２）と底面生地２２（底面１６）の後端縁部５１とを開放した後、犬５９（四肢動物）を包被袋１０の内部に入れ、第１及び第２メカニカルファスナー２５，２６を閉めることで、開放された前面生地１７と底面生地２２の前端縁部５０とを閉鎖することができるとともに、開放された頂面生地２１と後面生地１８と底面生地２２の後端縁部５１とを閉鎖することができ、包被袋１０の内部に犬５９（四肢動物）の胴部６４及び脚部６５を閉じ込めることができる。四肢動物包被袋１０は、前面生地１７の中央上方と頂面生地２１の中央前方とに形成された挿通開口２３に犬５９（四肢動物）の首部６６を挿通することで、犬５９の頭部６０を包被袋１０の外部に出すことができ、犬５９の胴部６４及び脚部６５のみを包被袋１０の内部に収容することができる。
【００５３】
犬５９（四肢動物）の胴部６４及び脚部６５を包被袋１０の内部に閉じ込めた後、後面生地１８から前後方向後方へ延びるパイプ５４（温風取入口２４）にドライヤー又は温風ファン（温風送風手段）の温風給気口を連結し、ドライヤーや温風ファンのスイッチをＯＮにする。ドライヤーや温風ファンのスイッチをＯＮにすると、ドライヤーや温風ファンが起動し、ドライヤーや温風ファンから所定温度（４０〜６０℃）の温風が送風される。なお、温風の温度や送風量は、ドライヤーや温風ファンにおいて調節することができる。ドライヤーや温風ファン（温風送風手段）から送風された温風は、パイプ５４（温風取入口２４）を通って四肢動物包被袋１０の内部に取り入れられる（給気される）。
【００５４】
ドライヤーや温風ファン（温風送風手段）から送風された温風の四肢動物包被袋１０の内部への取入量（給気量）は、四肢動物包被袋１０を通過して包被袋１０（前後面生地１７，１８、両側面生地１９，２０、頂底面生地２１，２２）の内部から外部へ排気される温風の排気量よりも多い。したがって、ドライヤーや温風ファン（温風送風手段）から送風された温風をパイプ５４（温風取入口２４）を介して包被袋１０の内部に取り入れたときに、包被袋１０の内部の温風が通気性の前後面生地１７，１８と両側面生地１９，２０と頂底面生地２１，２２とを通気してその外部に排気されるとともに、温風が包被袋１０の内部に籠もって包被袋１０の内部が陽圧になり、包被袋１０の六面直方体の形態が維持される。
【００５５】
四肢動物包被袋１０では、パイプ５４（温風取入口２４）から取り入れられた温風が包被袋１０の内部から包被袋１０の前後面生地１７，１８や両側面生地１９，２０、頂底面生地２１，２２を通気して包被袋１０の全域からその外部に排気されつつ包被袋１０の内部に温風が籠もるから、犬５９（四肢動物）の胴部６４全体及び脚部６５全体に温風が接触し、洗浄後の犬５９の胴部６４全体の濡れた毛及び脚部６５全体の濡れた毛を同時に乾燥させる。
【００５６】
四肢動物包被袋１０は、包被袋１０が犬５９（四肢動物）を収容しつつ犬５９の頭部６０を除く胴部６４及び脚部６５を包被し、パイプ５４（温風取入口２４）から取り入れられた温風が包被袋１０の内部から通気性、透湿性、柔軟性の包被袋１０の前後面生地１７，１８や両側面生地１９，２０、頂底面生地２１，２２を通気しつつ洗浄後の犬５９の胴部６４及び脚部６５の濡れた毛を乾燥させるから、ドライヤーや温風ファン（温風送風手段）から送風された温風が犬５９の目や鼻、口（頭部６０）に向かって吹き出されることはなく、包被袋１０の内部における犬５９の暴れを防ぐことができ、犬５９が嫌がることなく犬５９の胴部６４及び脚部６５の濡れた毛の乾燥作業をスムースに行うことができる。
【００５７】
四肢動物包被袋１０は、温風をパイプ５４（温風取入口２４）から包被袋１０の内部に取り入れたときに、包被袋１０の内部の温風が包被袋１０の前後面生地１７，１８と両側面生地１９，２０と頂底面生地２１，２２とを通気してその外部に排気されるとともに、温風が包被袋１０の内部に籠もって包被袋１０の内部が陽圧になり、包被袋１０の六面直方体の形態が維持され、包被袋１０の内部に所定容積の乾燥空間が形成されるから、その乾燥空間に犬５９（四肢動物）の胴部６４全体及び脚部６５全体を位置させることができ、犬５９の胴部６４全体及び脚部６５全体を温風に接触させることができる。四肢動物包被袋１０は、六面直方体の形態に維持された包被袋１０の乾燥空間において犬５９（四肢動物）の胴部６４全体及び脚部６５全体を同時に乾燥させることができ、洗浄後の犬５９の胴部６４及び脚部６５の濡れた毛を手間を要せず短時間に乾燥させることができる。
【００５８】
犬５９（四肢動物）の毛の乾燥作業が終了した後、ドライヤーや温風ファンのスイッチをＯＦＦにしてドライヤーや温風ファンを停止させ、ドライヤー又は温風ファン（温風送風手段）の温風給気口からパイプ５４（温風取入口２４）を分離する。次に、長さ寸法第１調整手段２７ａ及び長さ寸法第２調整手段２７ｂのベルト５６の自由長尺部５８のフック面とループ面との係合を解除するとともに、第１メカニカルファスナー２５のスライダーを上下方向下方へスライドさせて第１メカニカルファスナー２５を開け、第２メカニカルファスナー２６のスライダーを前後方向後方及び上下方向下方へスライドさせて第２メカニカルファスナー２６を開ける。
【００５９】
前面生地１７及び底面生地２２の前端縁部５０を横方向へ二分して前面生地１７（前面１１）及び底面生地２２（底面１６）の前端縁部５０を開放するとともに、頂面生地２１と後面生地１８と底面生地２２の後端縁部５１とを横方向へ二分して頂面生地２１（頂面１５）と後面生地１８（後面１２）と底面生地２２（底面１６）の後端縁部５１とを開放し、犬５９（四肢動物）を包被袋１０から出す。毛を乾燥させた犬５９を包被袋１０から出した後、包被袋１０を扁平に畳む。  四肢動物包被袋１０は、それを使用しないときに扁平に畳むことができるから、未使用時に嵩張ることなく包被袋１０を保管場所に収納することができる。
【符号の説明】
【００６０】
１０    四肢動物包被袋
１１    前面
１２    後面
１３    側面
１４    側面
１５    頂面
１６    底面
１７    前面生地
１８    後面生地
１９    側面生地
２０    側面生地
２１    頂面生地
２２    底面生地
２３    挿通開口
２４    温風取入口
２５    第１メカニカルファスナー
２６    第２メカニカルファスナー
２７ａ  長さ寸法第１調整手段
２７ｂ  長さ寸法第２調整手段
２８    左側縁部
２９    右側縁部
３０    上端縁部
３１    下端縁部
３２    左側縁部
３３    右側縁部
３４    上端縁部
３５    下端縁部
３６    上側縁部
３７    下側縁部
３８    前端縁部
３９    後端縁部
４０    上側縁部
４１    下側縁部
４２    前端縁部
４３    後端縁部
４４    左側縁部
４５    右側縁部
４６    前端縁部
４７    後端縁部
４８    左側縁部
４９    右側縁部
５０    前端縁部
５１    後端縁部
５２    仕切部材
５３    仕切生地
５４    パイプ
５５    バックル金具
５６    ベルト
５７    基端部
５８    自由長尺部
５９    犬（四肢動物）
６０    頭部
６１    尾
６２    前足
６３    後足
６４    胴部
６５    脚部
６６    首部
【図１】
2020141630.tif 000003
【図２】
2020141630.tif 000004
【図３】
2020141630.tif 000005
【図４】
2020141630.tif 000006
【図５】
2020141630.tif 000007
【図６】
2020141630.tif 000008
【図７】
2020141630.tif 000009